(57)【要約】【課題】  吐出口とこの吐出口が器体の外装壁を貫通する貫通部との間をシールして、しかも、吐出流が細ったり乱れたりすることなく、吐出停止時の水切れをよくする。【解決手段】  器体１の上部で前部へ向かって後下向きに屈曲し、器体１の外装壁５ａを貫通しその下へ臨出する吐出口２５ａを持った吐出路２５を有し、この吐出路２５を通じ内容液を手動またはおよび電動のポンプ１０、２６により吐出して利用されるようにするのに、吐出口２５ａにその外まわりから吐出路２５との屈曲部２５ｃ内側に通じる通気部５１を形成するのに併せ、この吐出口２５ａの通気部５１よりも上部またはおよび外まわり部と器体１の外装壁５ａの吐出口貫通部５２との間をシールするシール部５３を設けて、上記の目的を達成する。【選択図】  図２
2005253688.tif 000002
【特許請求の範囲】
【請求項１】
器体の上部で前部へ向かって後下向きに屈曲し、器体の外装壁を貫通しその下へ臨出する吐出口を持った吐出路を有し、この吐出路を通じ内容液を手動またはおよび電動のポンプにより吐出して利用されるようにした電気ポットにおいて、
前記吐出口にその外まわりから吐出路との屈曲部内側に通じる通気部を形成するのに併せ、この吐出口の通気部よりも上部またはおよび外まわり部と前記器体の外装壁の吐出口貫通部との間をシールするシール部を設けたことを特徴とする電気ポット。
【請求項２】
器体の上部で前部へ向かって後下向きに屈曲し、器体の外装壁を貫通しその下へ臨出する吐出口を持った吐出路を有し、この吐出路を通じ内容液を手動またはおよび電動のポンプにより吐出して利用されるようにした電気ポットにおいて、
前記吐出口にその外まわりから前記吐出路との屈曲部内側に通じる通気部を形成するのに併せ、この吐出口の通気部よりも上部またはおよび外まわりと前記器体の外装壁の吐出口貫通部とを互いの円環部間でシールするシール部を設けたことを特徴とする電気ポット。
【請求項３】
吐出口側の円環部は、吐出口と通気部の上部で繋がり、かつ吐出口と周方向一部ないしは全周において２重筒をなす外筒である請求項２に記載の電気ポット。
【請求項４】
外筒の下端は、吐出口の下端よりも高い請求項３に記載の電気ポット。
【請求項５】
吐出口側の円環部は、吐出口の通気部の上部に設けたフランジ部である請求項２に記載の電気ポット。
【請求項６】
器体の外装壁側の円環部は、吐出口が貫通する貫通孔まわりの上向きの筒部としてある請求項１〜５のいずれか1項に記載の電気ポット。
【発明の詳細な説明】
【技術分野】
【０００１】
本発明は、器体の上部で前部へ向かって後下向きに屈曲し、器体の外装壁を貫通しその下へ臨出する吐出口を持った吐出路を有し、この吐出路を通じ内容液を手動またはおよび電動のポンプにより吐出して利用されるようにした電気ポットに関するものである。
【背景技術】
【０００２】
この種の電気ポットは広く普及しており、定置したままポンプにより内容液を吐出して利用するが、吐出停止時の水切れを良くする工夫が種々になされている（例えば、特許文献１参照。）。特許文献１に記載のものは吐出路の短かな吐出口に器体の外装壁に一体成形した筒部を、相互間隙間を持って接続した吐出口構造を開示しており、この隙間からの吸気によって吐出停止時の水切れが良くなる。
【０００３】
一方、本出願人等は特許文献１に記載のものにおける前記隙間に匹敵するものとして、図８に示すような吸気を図るスリットａを持った吐出口ｂを元来採用してきた。
【０００４】
しかし、近年、電気ポットの安全基準の見直しなどから、電気ポットが逆さにされたときに上向きになった吐出口から流れ出る内容液が、吐出口とこれが貫通する器体の外装壁の貫通孔との間の隙間から器体内に逆流するようなことを阻止できる構造が求められ、特許文献１に記載の吐出口構造や図８に示す吐出口構造ではそれを満足できない。
【０００５】
本出願人はこれに対応するため、図７に示すように吐出口ｂと、器体ｃの外装壁ｄにおける吐出口ｂが貫通する貫通孔ｅと、の間をシール部材ｆによりシールする吐出口構造を採用した。これに併せ、吐出路ｇにおける吐出口ｂが下向きに屈曲する内側コーナ部ｈを尖り形状とすることで吐出流ｊが吐出口ｂの後部壁ｂ１から図７に示すように離れさせ、これによって吐出停止時の前記内側コーナ部ｈへの矢印ｋで示すような吸気を得て水切れが良くなるように工夫した。
【特許文献１】特開平１０−２６２８３１号公報
【発明の開示】
【発明が解決しようとする課題】
【０００６】
しかし、図７に示す改良構造では、吐出流ｊが吐出口ｂの内径に対し細って吐出流量が低下するし、吐出流ｊが乱れやすい問題もある。
【０００７】
本発明の目的は、吐出口とこの吐出口が器体の外装壁を貫通する貫通部との間をシールして、しかも、吐出流が細ったり乱れたりすることなく、吐出停止時の水切れがよくなる電気ポットを提供することにある。
【課題を解決するための手段】
【０００８】
上記の目的を達成するために、本発明の電気ポットは、器体の上部で前部へ向かって後下向きに屈曲し、器体の外装壁を貫通しその下へ臨出する吐出口を持った吐出路を有し、この吐出路を通じ内容液を手動またはおよび電動のポンプにより吐出して利用されるようにした電気ポットにおいて、前記吐出口にその外まわりから前記吐出路との屈曲部内側に通じるスリットや孔などの通気部を形成するのに併せ、この吐出口の通気部よりも上部またはおよび外まわり部と前記器体の外装壁の吐出口貫通部との間をシールするシール部を設けたことを１つの特徴としている。
【０００９】
このような構成では、吐出路から下向きに屈曲した吐出口がその外まわりから前記屈曲部の内側に通じる通気部を持っていることによって、吐出停止時に前記屈曲部内側に通気部を通じた吸気が及び、屈曲部を境にした吐出口側の内容液と上流側の内部液とが吐出流と上流への戻り流とにスムーズに分れるので、水切れよく吐出が終了する。しかも、吐出口と器体の吐出口貫通部との間のシール部が、吐出口の通気部よりも上部またはおよび外まわり部に位置していて、前記通気部を通じた前記屈曲部内への吸気を損なうことなしに、吐出口から出る内容液が吐出口と器体の外装壁の吐出口貫通部との間から器体内に逆流するのを阻止することができる。
【００１０】
本発明の電気ポットは、また、器体の上部で前部へ向かって後下向きに屈曲し、器体の外装壁を貫通しその下へ臨出する吐出口を持った吐出路を有し、この吐出路を通じ内容液を手動またはおよび電動のポンプにより吐出して利用されるようにした電気ポットにおいて、前記吐出口にその外まわりから前記吐出路との屈曲部内側に通じるスリットや孔などの通気部を形成するのに併せ、この吐出口の通気部よりも上部またはおよび外まわりと前記器体の外装壁の吐出口貫通部との円環部間でシールするシール部を設けたことを別の特徴としている。
【００１１】
このような構成では、吐出路から下向きに屈曲した吐出口がその外まわりから前記屈曲部の内側に通じる通気部を持っていることによって、吐出停止時に前記屈曲部に通気部を通じた吸気が及び、屈曲部を境にした吐出口側の内容液と上流側の内部液とが吐出流と上流への戻り流とにスムーズに分れるので、水切れよく吐出が終了する。しかも、吐出口と器体の吐出口貫通部との間のシール部が円環部間で簡単に実現し、吐出口のスリット部よりも上部またはおよび外まわりに位置していることにより、前記スリットを通じた前記屈曲部内への吸気を損なうことなしに、吐出口から出る内容液が吐出口と器体の外装壁の吐出口貫通部との間から器体内に逆流するのを阻止することができる。
【００１２】
吐出口側の円環部は、吐出口と通気部の上部で繋がり、かつ吐出口と周方向一部ないしは全周において２重筒をなす外筒である、さらなる構成では、
外筒によってシール部を吐出口側から隔絶することができ、通気部から漏れ出ることのある蒸気がシール部に及ばないようにすることができる。
【００１３】
外筒の下端は、吐出口の下端よりも高い、さらなる構成では、
外筒を吐出口の外面に極く近くに設けても、吐出口からの吐出流が外筒側に濡れ及ぶようなことを防止することができる。
【００１４】
吐出口側の円環部は、吐出口の通気部の上部に設けたフランジ部である、さらなる構成では、
吐出口側の円環部が単純化する。
【００１５】
器体の外装壁側の円環部は、吐出口が貫通する貫通孔まわりの上向きの筒部としてある、さらなる構成では、
吐出口側の円環部である筒部やフランジ部などのいずれとの間にもシール部を形成するのに好適な器体の外装壁側の円環部が得られる。
【００１６】
本発明のそれ以上の目的および特徴は、以下の詳細な説明で明らかになる。本発明の各特徴は、可能な限りそれ単独で、あるいは種々な組合せで複合して採用することができる。
【発明の効果】
【００１７】
本発明の電気ポットの１つの特徴によれば、吐出口のスリットを通じた吸気により水切れよく吐出が終了し、滴落ちがしないし、このスリットを通じた吸気を損なうことなく吐出口から出る内容液が吐出口と器体の外装壁の吐出口貫通部との間から器体内に逆流するのを阻止して、器体内の電気装備品の安全が図れる。
【００１８】
本発明の電気ポットの別の特徴によれば、前記１つの特徴の場合に加え、さらに、吐出口と器体の吐出口貫通部との間のシール部が円環部間で簡単に安価に実現する。
【００１９】
円環部は、吐出口とスリットの上部で繋がり、かつ吐出口と周方向一部ないしは全周において２重筒をなす外筒である、さらなる構成によれば、
外筒によってシール部をスリットから漏れ出ることのある蒸気から保護し寿命の長大化が図れる。
【００２０】
外筒の下端は、吐出口の下端よりも高い、さらなる構成によれば、
外筒を吐出口の外面に極く近くに設けてかさ張りを抑えながらも、吐出流が外筒側に濡れ及んで乱れたり、滴落ちするようなことがない。
【００２１】
円環部は、吐出口のスリットの上部に設けたフランジ部である、さらなる構成によれば、
吐出口側の円環部が単純化し、小型化、低コスト化する。
【００２２】
器体の外装壁の吐出口貫通部は上向きの筒部としてある、さらなる構成によれば、
器体の外装壁側の円環部が筒部であることにより、吐出口側の円環部である筒部やフランジ部などのいずれとの間にもシール部を形成することができるし、フランジ部などと耐熱樹脂が必要な吐出口側の円環部を小型化し、低コスト化するのに好適である。
【発明を実施するための最良の形態】
【００２３】
以下、本発明の実施の形態について図１〜図６を参照しながら詳細に説明し、本発明の理解に供する。なお、以下の説明は本発明の具体例であって、特許請求の範囲を限定するものではない。
【００２４】
本実施の形態は、家庭用の電気ポットの場合の一例であり断熱容器を内容器に用いている。図１、図２に示す例の断熱容器はステンレス鋼製の真空二重容器３を合成樹脂製の外装ケース５に内容器として収容した器体１を持ち、図２に示すようにヒータ１１によって内容液を加熱して貯湯し、内容液を電動ポンプ２６および手動ベローズポンプなどの手動ポンプ１０のいずれかによって、管路タイプの吐出路２５を通じ外部に吐出して給湯し使用に供する構成を有している。しかし、本発明はこれに限定されることはなく、内容液をヒータ１１ないしは電磁誘導加熱源により加熱して湯沸しや通常保温、省エネ保温をしながら貯湯し、ポンプによる吐出を図って使用に供するものであれば足りる。
【００２５】
もっとも、ステンレス鋼は金属の中で熱伝導性が低く、かつ曲げ剛性、強度が十分であり、しかも防錆効果を持ち、Ｃｕを含有するなどで抗菌性をも発揮させやすいので、飲食用の電気貯湯容器には好適であり、真空二重容器３を提供するのに適している。また、真空二重容器３は必ずしも外装ケース５に収容する必要はなく外装体に共用することができる。また、電源・駆動系基板２７と操作部２０での操作や初期設定にて設定された動作モードに従った動作制御を行うのにマイクロコンピュータ３３ａを搭載した制御基板３３を用いているが、これもハード回路を含めた種々な機器を採用した制御手段とすることができる。
【００２６】
操作部２０は器体１の上端部前方へ例えば嘴状に突出した突出部３１の上面に設けた操作パネル３２で構成してあり、その内側に設けられる制御基板３３上の各種スイッチ類を、操作パネル３２に一体形成した樹脂ばねや別体に設けられたキー部材による操作手段によって個々に押動してオン操作できるようにしているが、これも、本発明の本質的なものではなく具体的な構成は特に問うものではない。マイクロコンピュータ３３ａは湯沸しや通常保温、省エネ保温のために内容液の温度を検知する内容液温度検知手段２９からの温度情報を用いるようにしている。内容液温度検知手段２９は内容器としての真空二重容器３におけるヒータ１１を当てがっている一重底部の中央に、個別に当てがった内容器センサ２９としてある。
【００２７】
なお、操作パネル３２は特に図示していないが、一例として、中央部に設定保温温度や現在温度、現在動作モード、あるいは危険報知や必要操作の促しなどを画面表示する液晶表示部、貯湯内容液を吐出して給湯を行う吐出キー、吐出キーによる吐出操作をロックまたはロック解除するロック・解除キー、省エネモードを手動設定する省エネキー、通常保温、省エネ保温中に再沸騰を行う再沸騰キー、９８度保温や９０度保温の別、タイマ設定時間の別などを選択する選択キー、吐出操作があったときの吐出量を設定する計量カップキー、および設定数値をアップダウンするアップキー、ダウンキーを有している。また、ランプ表示としてはロック解除ランプ、給湯報知ランプ、省エネランプなどがＬＥＤなどを利用して設けてある。
【００２８】
本実施の形態に係る電気ポットの吐出路２５は、図２に示すように器体１の上部で前部へ向かって後下向きに屈曲し、器体１の外装壁５ａを貫通しその下へ臨出する吐出口２５ａを持っている。さらに具体的には、吐出路２５は真空二重容器３の一重底部に接続され、真空二重容器３の底部下に位置した遠心型の電動ポンプ２６を経て真空二重容器３と外装ケース５との間を立ち上がって器体１内の上部の転倒時止水弁６および前傾時止水弁７に達し、この部分からやや上り勾配を持った傾斜部２５ｂにて前記突出部３１の前部に延び、屈曲部２５ｃを境に下向きの吐出口２５ａに繋がっている。これにより、吐出路２５は真空二重容器３に底部で繋がって内容液が流入し、真空二重容器３内と同じ水位を保っている。従って、電動ポンプ２６内には常時内容液が充満しており、回転駆動されると遠心力により内容液を吐出して吐出路２５の下流側に送り出し吐出口２５ａから吐出させる。
【００２９】
一方、手動ポンプ１０は器体１の上端および真空二重容器３を開閉する蓋体３０に内蔵され、上面に吐出した押圧板３５の復元ばね３６に抗した押圧操作を受けて収縮する都度加圧空気を吐出して真空二重容器３内に送り込み、内容液を加圧することで吐出路２５を通じて押し出し、吐出口２５ａから吐出させる。蓋体３０には内容液から発散する蒸気を外部に逃がす蒸気通路３７が設けられており、手動ポンプ１０から真空二重容器３への給気路３８と一部で繋がっているが、手動ポンプ１０の押圧操作と押圧解除による復元とに連動して給気路３８と蒸気通路３７とを真空二重容器３側に切替え連通させる切り替え弁３９を有し、手動ポンプ１０の操作時に加圧空気が蒸気通路３７を通じて逃げたり、手動ポンプ１０の非操作時に蒸気が給気路３８を通じて手動ポンプ１０内に侵入したりするのを防止する。
【００３０】
また、蓋体３０は図２に示すように器体１の胴部と真空二重容器３とを繋ぐ合成樹脂製の肩部４１の後部にヒンジピン４２によって開閉および着脱できるように支持され、前部では器体１の肩部４１との間で閉じ状態に係止するロック部材４３と、このロック部材４３による前記係止を解除するロック解除部材４４とが設けられている。ロック部材４３はばね４５の付勢によって蓋体３０が閉じられるのと同時に肩部４１と係合して蓋体３０を閉じ状態に係止し、前記手動ポンプ１０による内容液の加圧時に蓋体３０および真空二重容器３間から逃げるのを防止する。ロック解除部材４４は軸４６により蓋体３０に枢支されてロック部材４３と連動し、前端部４４ａを手の親指などで押し下げられることでロック部材４３をばね４５に抗して後退させ蓋体３０の前記係止を解除し、そのとき上動する後端部４４ｂに人差し指や薬指を掛けて持ち上げることで係止が解かれた蓋体３０の前部側をヒンジピン４２を中心に上方へ開くことができる。
【００３１】
ここで、電動ポンプ２６は連続駆動されて、手動ポンプ１０は繰り返し操作されて、いずれも内容液を吐出口２５ａから連続と吐出させられる。吐出操作が停止すると、吐出路２５内の内容液は通常液位に戻ろうとし、その際に吐出口２５ａ内の内容液もサイホン現象で引き込もうとする。これに対し、吐出口２５ａ内の内容液は下方へ流出しようとする。これを放置すると吐出口２５ａ側の内容液と屈曲部２５ｃを境にした上流側の内容液との水切れが悪く、吐出口２５ａ側の内容液が乱れ落ちながら時間遅れでボタ落ちするし、滴落ちが比較的遅くまで続いてまわりを濡らしてしまう原因になる。また、内容液が入った器体１を誤って逆さにするようなことがあると、吐出口２５ａから内容液が溢れ出て、吐出口２５ａとそれが貫通している器体１の外装壁５ａの吐出口貫通孔５０との間から器体１内に逆流し、器体１内の電気装備品を損なう原因になる。
【００３２】
そこで、本実施の形態では、図１、図２の例、図３の例、図４の例、図５の例、図６の例に示すように、吐出口２５ａにその外まわりから前記吐出路２５との屈曲部２５ｃ内側に通じる通気部として、図１、図２の例、図３の例、図４の例、図６の例に示すような吐出口２５ａの下端２５ａ１から前記屈曲部２５ｃの近傍まで延びるスリット５１や、図５の例に示すような孔７１を形成するのに併せ、吐出口２５ａのこれらスリット５１や孔７１などの通気部よりも上部またはおよび外まわり部と器体１の外装壁５ａの貫通孔５０を持った吐出口貫通部５２との間をシールするシール部５３を設けている。このように、吐出路２５から下向きに屈曲した吐出口２５ａがその外まわりから前記屈曲部２５ｃの内側に通じるスリット５１や孔７１を持っていることによって、吐出停止時に前記屈曲部２５ｃにスリット５１や孔７１を通じた吸気が図１や図５に矢印で示すように及ぶ。これによって、屈曲部２５ｃを境にした吐出口２５ａ側の内容液と上流側の内部液とが吐出流と上流への戻り流とにスムーズに分れる。従って、傾斜部２５ｂの上流側への下り勾配も手伝って、屈曲部２５ｃの内側コーナ部２５ｃ１を図１、図２に示すように吐出流との濡れ性のよい、つまり吐出流が吐出口２５ａの後部壁から大きく離れて流れが細るようなことのない通路形態にても、水切れよく吐出が終了する。しかも、吐出口２５ａと器体１の吐出口貫通部５２との間のシール部５３が、吐出口２５ａのスリット５１や孔７１の通気部よりも上部またはおよび外まわり部に位置していて、前記スリット５１や孔７１を通じた前記屈曲部２５ｃ内への吸気を損なうことなしに、吐出口２５ａから出る内容液が吐出口２５ａと器体１の外装壁５ａの吐出口貫通部５２との間から器体１内に逆流するのを阻止することができる。なお、スリット５１を設ける吐出口２５ａの後部壁部分は内容液の吐出流が離れ気味になる部分であって、スリット５１から吸気はしても、スリット５１を通じて外部に流出することはない。
【００３３】
また、図１、図２の例、図３の例、図５の例、図６の例では、特に、シール部５３を、吐出口２５ａのスリット５１や孔７１などの通気部よりも上部またはおよび外まわりと前記器体１の外装壁５ａの吐出口貫通孔５０との円環部６１、６２間でシールするものとしてある。これにより、吐出口２５ａと器体１の吐出口貫通部５２との間のシール部５３が円環部６１、６２間で円環状のシール部材６３などによって簡単に実現する。
【００３４】
さらに具体的には、図１、図２の例、図５の例では、吐出口２５ａ側の円環部６１は、吐出口２５ａとスリット５１の上部で繋がり、かつ吐出口２５ａと周方向の全周において２重筒をなす外筒としてある。また、図３に示す例では吐出口２５ａ側の円環部６１は吐出口２５ａのスリット５１の上で図３（ａ）に示すように繋がり、かつ吐出口２５ａと図３（ｂ）に示すように周方向の一部で２重筒をなす外筒としてある。これら外筒としての円環部６１によってシール部５３のシール部材６３を吐出口２５ａ側から隔絶することができ、スリット５１から漏れ出ることのある蒸気がシール部材６３に及ぶのを防止し、シール部材６３の耐熱樹脂化を省略してコストを低減して、しかも長寿命化が図れる。また、外筒としての円環部６１の下端６１ａは、吐出口２５ａの下端２５ａ１よりも高くしてあり、円環部６１を吐出口外面に極く近くに設けてかさ低くしても、吐出口２５ａからの吐出流が外筒としての円環部６１側に濡れ及ぶようなことを防止することができる。図５に示す例では、特に、吐出口２５ａが吐出路２５側へ広がり部８１を持って繋がっていて、通気部としての孔７１を吐出口２５ａと外筒としての円環部６１との間で、前記広がり部８１に通じるように設けてある。これにより、吐出路２５を吐出される内容液の吐出流
は、前記広がり部８１に空間を残して流れる傾向が生まれるので、孔７１を通じた吸気はするが孔７１を通じて外部に流出することはない。
【００３５】
図４に示す例では吐出口２５ａのスリット５１を形成している部分の外側に吐出口２５ａとの間でスリット５１を外側から囲う筒状の外壁７２を設けて、図４（ａ）に示すようにスリット５１の上で吐出口２５ａと繋がり、かつ吐出口２５ａの後部壁と図４（ｂ）に示すように左右両側で繋がるようにしてあり、図１、図２の例、図３の例の外筒としての円環部６１よりもさらにかさ張らずに設けられる。
【００３６】
さらに、図６に示す例では、吐出口２５ａ側の円環部６１は、吐出口２５ａのスリットの上部に設けたフランジ部としてあり、吐出口２５ａ側の円環部が単純化し、さらにかさ低くなる。
【００３７】
図１、図２の例、図３の例、図４の例、図５の例、図６の例のいずれの場合も、器体１の外装壁５ａの吐出口貫通部５２における円環部６２は、吐出口２５ａが貫通する貫通孔５０まわりに形成した上向きの筒部としてあり、吐出口２５ａ側の筒部やフランジ部などのいずれとの間にもシール部５３を形成するのに好適な器体１の外装壁５ａ側の円環部６２が得られる。例えば、図１、図２の例、図３の例、図５の例では、円環部６１の外面に対して筒部である円環部６２の内面を対向させて相互間に円環形状のシール部材６３を挟み込んでシールしてあり、シール部材６３は径方向に腰の強い例えば断面横向きのM型形状のものを採用している。また、図４の例では吐出口２５ａと外壁７２とが形成する非円形な外面と筒部である円環部６２の内周との間にシール部材６３を挟み込んでいる。さらに、図６に示す例ではフランジ部である吐出口２５ａ側の円環部６１に対し、筒部である円環部６２の上端を対向させて円板状の最も単純なシール部材６３を挟み込んでシールしている。図６に示す例では器体１の外装壁５ａ側の円環部６２が筒部として吐出口２５ａ側に延びている分だけ、吐出口２５ａ側の円環部６１などをかさ低く抑えられる利点がある。図６に示す例では筒部である円環部６２は２重筒にして、フランジ部としての円環部６１との対向面およびシール部材６３の挟圧時の耐力を増大させている。
【産業上の利用可能性】
【００３８】
本発明は電気ポットに実用でき、吐出口部での吐出流の細りなく吐出停止時の水切れをよくし、しかも器体内への内容液の逆流を防止できる。
【図面の簡単な説明】
【００３９】
【図１】本発明の実施の形態に係る電気ポットの１つの例を示す吐出口部まわりの断面図である。
【図２】図１の吐出口部を持った電気ポット全体を示す断面図である。
【図３】本発明の実施の形態に係る電気ポットの別の例を示す吐出口部の断面図、下面図である。
【図４】本発明の実施の形態に係る電気ポットの他の例を示す吐出口部の断面図、下面図である。
【図５】本発明の実施の形態に係る電気ポットの今１つの例を示す吐出口部の断面図である。
【図６】本発明の実施の形態に係る電気ポットのさらに別の例を示す吐出口部の断面図である。
【図７】電気ポットの従来例を示す吐出口まわりの断面図である。
【図８】電気ポットのさらに従来の例を示す吐出口部の断面図である。
【符号の説明】
【００４０】
１  器体
３  真空二重容器
５  外装ケース
５ａ  外装壁
１０  手動ポンプ
１１  ヒータ
２５  吐出路
２５ａ  吐出口
２５ｂ  傾斜部
２５ｃ  屈曲部
２６  電動ポンプ
５０  貫通孔
５１  スリット
５２  吐出口貫通部
５３  シール部
６１、６２  円環部
６３  シール部材
７１  孔
７２  外壁
【図１】
2005253688.tif 000003
【図２】
2005253688.tif 000004
【図３】
2005253688.tif 000005
【図４】
2005253688.tif 000006
【図５】
2005253688.tif 000007
【図６】
2005253688.tif 000008
【図７】
2005253688.tif 000009
【図８】
2005253688.tif 000010